(57)【要約】【課題】  カラー液晶表示パネルの画素ピッチを細密化してもカラー液晶表示パネルとしての最適な条件を備え、信頼性の高い液晶表示パネル駆動回路の接続構造を得る。【解決手段】  隣接する１組の表示電極（Ｙ１、Ｙ２、Ｙ３）が配線電極（１１３、１１４、１１５）を介して接続電極パッド（１１６、１１７、１１８）に接続する液晶表示パネルにおいて、隣接する赤色、緑色、青色の各カラー画素部の表示電極を１組とし、該１組の表示電極に対応する複数の接続電極パッドを前記表示領域の外周辺に対して直交方向に直列配置したことを特徴とする。【選択図】      図１
2006227230.tif 000002
【特許請求の範囲】
【請求項１】
第１の基板と第２の基板の間隙に液晶層を有し、前記第１の基板上に設ける表示電極と、第２の基板上に設ける対抗電極との重なり部を赤色、緑色、青色の各カラー画素部として表示領域を形成し、該表示領域は複数の行と列に画素部を設けるマトリックス型を有し、前記表示電極は配線電極を介して接続電極パッドに接続する液晶表示パネルにおいて、前記画素部の隣接する赤色、緑色、青色の各カラー画素部の表示電極を１組とし、該１組の表示電極に対応する複数の接続電極パッドを前記表示領域の外周辺に対して直交方向に直列配置したことを特徴とする液晶表示パネル。
【請求項２】
前記表示領域の外周辺に対して直交方向に直列配置された接続電極パッドは、前記表示領域に近い方から遠い方に向って緑色、赤色、青色の順に配設されている請求項１記載の液晶表示パネル。
【請求項３】
前記１組の表示電極と接続電極パッドとを接続する１組の配線電極には各配線電極の配線電極抵抗を個別に調整するための配線電極抵抗調整手段が設けられている請求項１乃至２項のいずれか１項に記載の液晶表示パネル。
【請求項４】
前記配線電極抵抗調整手段が前記配線電極の電極幅を調整する手段である請求項３記載の液晶表示パネル。
【請求項５】
前記直列配置された接続電極パッドの数が３の倍数である請求項１乃至４項のいずれか１項に記載の液晶表示パネル。
【発明の詳細な説明】
【技術分野】
【０００１】
本発明は液晶表示装置に係り、カラー液晶表示パネルの配線電極と接続電極パッドの構造に関する。
【背景技術】
【０００２】
近年ＯＡ(Office Automation)機器の軽量・薄型・短小化や電子システム手帳などＰＤＡ(Personal Digital Assistance)機器の高機能・大画面化に伴い、液晶表示パネルの高密度化と有効表示面積の拡大要求は留まらない。
【０００３】
液晶表示パネルは対向する基板２枚のマトリックス状電極により基板間の液晶を駆動するが、液晶表示パネルの高密度化、すなわち画素の細密化によりそれぞれの表示電極は細ピッチとなり、これに伴い引き出し配線部および液晶表示パネル駆動回路を接合あるいは液晶表示パネル駆動集積回路を搭載する接続電極パッド部、いわゆる液晶表示パネルの額縁は更なる狭小化を迫られている。
【０００４】
液晶表示パネルの駆動回路は一般的に接続電極パッド部に直接液晶表示パネル駆動集積回路を搭載するＣＯＧ(Chip On Glass)実装、あるいは接続電極パッド部に液晶表示パネル駆動集積回路を搭載したテープフィルムの液晶表示パネル駆動回路を接続するＴＡＢ(Tape Automated Bonding)実装という方法があるが、いずれの方法においても接続パッド部は可能な限り大きくして液晶表示パネル駆動集積回路あるいは液晶表示パネル駆動集積回路を搭載したテープフィルムとの確実な導通と強固な接続が要求される。
【０００５】
図３は従来の液晶表示パネルの平面図であり、図４は図３に示す液晶表示パネルのＢ−Ｂ断面図である。図３において３００は液晶表示パネル、３０１は表示領域、３１３はＹ配線電極領域、３１６はＹ接続電極パッド領域、３２３はＸ配線電極領域、３２６はＸ接続電極パッド領域であり、３１１は表示領域３０１のＹ側外周辺、３２１は表示領域３０１のＸ側外周辺、Ａは後述する電極配線詳細部を示す。
【０００６】
図４に示す液晶表示パネルのＢ−Ｂ断面図はＣＯＧ実装で、接続電極パッド領域に液晶表示パネル駆動集積回路を直接搭載した例で説明する。前記液晶表示パネル３００の構成において、４１１は第１基板、４２１は第２基板、４０１は液晶層、４１２は表示電極群、４２２は対向電極群、４２９はカラーフィルタ、４３０は液晶表示パネル駆動集積回路である。
【０００７】
液晶表示パネル３００の第１基板４１１と第２基板４２１は透明なガラス基板であって、第１基板４１１と第２基板４２１の対向する面の第１基板４１１側には表示電極群４１２、第２基板４２１にはカラーフィルタ４２９と対向電極群４２２を設けてあり、この表示電極群４１２と対向電極群４２２との間には液晶を注入した液晶層４０１が存在する。
【０００８】
前記液晶表示パネル３００において、表示領域３０１には第１基板４１１上に設けた表示電極群４１２と、第２基板４２１上に設けた前記表示電極群４１２と直交する対向電極群４２２があり、前記表示電極群４１２と前記対向電極群４２２の電極の重なり部分にはマトリックス型の画素部が配置されている。画素部は行と列とに配置され、この表示領域３０１の表示電極群４１２からＹ配線電極領域３１３を介してＹ接続電極パッド領域３１６へ配線され、また対向電極群４２２からＸ配線電極領域３２３を介してＸ接続電極パッド領域３２６へ配線されている。そしてこのＹ接続電極パッド領域３１６およびＸ接続電極パッド領域３２６に液晶表示パネル駆動集積回路４３０を搭載している。
【０００９】
なお、図４のＢ−Ｂ断面図において、第２基板４２１上の対向電極群４２２からＸ配線電極領域３２３を経由してＸ接続電極パッド領域３２６へ導通する配線も存在して液晶表示パネル駆動集積回路を搭載してあるが、同断面図には図示していない。
【００１０】
また、対向電極群４２２は第２基板４２１側にあり、Ｘ配線電極領域３２３およびＸ接続電極パッド領域３２６を同一の第２基板４２１上に形成する場合と、Ｘ配線電極領域３２３とＸ接続電極パッド領域３２６とを第１基板４１１上に形成し、第２基板４２１側の対向電極群４２２と第１基板４１１側のＸ配線領域３２３とを、前記表示領域３０１のＸ側外周辺３２１に設けた接続電極により導通させる場合があり、本実施例では後者の構成を示している。
【００１１】
なお、前記液晶表示パネル３００がＴＦＴ(Thin Film Transistor)方式の場合は表示電極群４１２がマトリックス型の画素部を形成し、対向電極群４２２は１枚の電極で形成している。また、前記液晶表示パネル３００が、反射型の場合は第１基板４１１の外側に反射板が配置されるが、いずれの場合も接続電極と接続電極パッドに関しては略同一の構造である。
【００１２】
図３および図４で説明した液晶表示パネル構造においては、液晶表示パネルの高密度化、すなわち画素の細密化を行うと電極配置が平面構造であることから当然画素間隔は狭小となり、この結果、画素から液晶表示パネルの外周へ引き出す配線電極は細ピッチとなり、これに接続する接続電極パッド幅も配線電極と同様に狭小となってしまう。
【００１３】
しかし液晶表示パネル駆動集積回路を接続する接続電極パッド幅は可能な限り大きいことが望ましいことは先に述べた通りである。従来技術の液晶表示パネル構造における接続電極パッド幅の拡大手法を以下の図５にもとづいて説明する。
【００１４】
図５は従来技術の液晶表示パネルの配線図を示し、図３における電極配線詳細部Ａに対応する。図５において前記表示領域３０１に設けられた表示電極群４１２は複数の表示電極Ｙ１、Ｙ２、Ｙ３等で形成され、前記対向電極群４２２は複数の対向電極Ｘ１、Ｘ２、Ｘ３等で形成されており、表示電極群４１２の各表示電極Ｙ１、Ｙ２、Ｙ３と対向電極群４２２の各対向電極Ｘ１、Ｘ２、Ｘ３が直交交差する重なり部がひとつの画素を形成している。一例として表示電極Ｙ３と対向電極Ｘ１が重なる部分Ｇ１３がひとつの画素である。
【００１５】
前記表示領域３０１の隣接する表示電極Ｙ１、Ｙ２、Ｙ３を１組とした場合、前記Ｙ接続電極パッド領域３１６には、前記表示電極Ｙ１、Ｙ２、Ｙ３に対応して第１接続電極パッド５１６、第２接続電極パッド５１７、第３接続電極パッド５１８を設け、これらの接続電極パッド５１６、５１７、５１８は各々前記Ｙ配線電極領域３１３に設けた第１配線電極５１３、第２配線電極５１４、第３配線電極５１５により前記表示領域３０１の表示電極Ｙ１、Ｙ２、Ｙ３に接続されている。
【００１６】
同様に前記Ｘ接続電極パッド領域３２６には、前記表示領域３０１の隣接する対向電極Ｘ１、Ｘ２、Ｘ３を１組とした場合、これらの対向電極Ｘ１、Ｘ２、Ｘ３に対応して第１接続電極パッド５２６、第２接続電極パッド５２７、第３接続電極パッド５２８を設け、これらの接続電極パッド５２６、５２７、５２８は各々前記Ｘ配線電極領域３２３に設けた第１配線電極５２３、第２配線電極５２４、第３配線電極５２５により前記表示領域３０１の対向電極Ｘ１、Ｘ２、Ｘ３に接続されている。
【００１７】
しかしこれらの隣接する表示電極Ｙ１、Ｙ２、Ｙ３に対応する接続電極パッド５１６、
５１７、５１８を前記表示領域３０１のＹ側外周辺３１１に対して平行に並べた場合には、隣接する接続電極パッド同士が接触しないように各接続電極パッド５１６、５１７、５１８の幅は各表示電極Ｙ１、Ｙ２、Ｙ３の幅と同じか前記各表示電極の幅以下に狭くする必要があり、画素の細密化を行うと液晶表示パネル駆動集積回路の接続に必要な接続電極パッド幅を確保できないという問題があった。
【００１８】
図５のＹ接続電極パッド領域３１６は、この問題を解決するための接続電極パッドの配置を示すもので、前記表示領域３０１のＹ側外周辺３１１に対して符号ＶＹおよび矢印で示す直交方向に、前記１組の接続電極パッドである第１接続電極パッド５１６と第３接続電極パッド５１８は前記表示領域３０１に近い位置に、中央の第２接続電極パッド５１７は前記表示領域３０１より遠い位置に交互に配置し、前記第２接続電極パッド５１７への配線電極５１４は第１接続電極パッド５１６および第３接続電極パッド５１８の間に配置する、いわゆる千鳥配置としている。この結果、前記１組の表示電極Ｙ１、Ｙ２、Ｙ３の範囲幅１３０において接続電極パッドの幅を表示電極の幅より広くすることができる。
【００１９】
なお、上記説明においては隣接する表示電極Ｙ１、Ｙ２、Ｙ３を１組とする接続電極の範囲５１６ａについての千鳥配置を説明したが、隣接する１組の接続電極の範囲５１６ｂはＹ側外周辺３１１に対して直交方向の接続電極パッド配置が逆転する。しかし、隣り合った接続電極パッドで見れば同じＹ側外周辺３１１に対して直交方向に、１個おきに交互に配置した千鳥配置の構成になっている。
【００２０】
かくして、図５に示す如く前記表示領域３０１のすべての表示電極に対応する接続電極パッドを表示領域３０１のＹ側外周辺３１１に対して直交方向に、１個おきに交互に配置することで、前記Ｙ接続電極パッド領域３１６のすべての接続電極パッドが千鳥配置されるものである。同様に対向電極Ｘ１、Ｘ２、Ｘ３についても前記Ｘ接続電極パッド領域３１６のすべての接続電極パッドを、前記表示領域３０１のＸ側外周辺３２１に対して１個おきに交互に配置することで、前記Ｘ接続電極パッド領域３２６のすべての接続電極パッドが千鳥配置されるものである。
【００２１】
すなわち、従来技術の液晶表示パネルの接続電極パッドは、表示領域３０１に近い位置と表示領域３０１より遠い位置に、配線電極１本毎に接続電極パッドを交互に配置する千鳥配置として、表示領域３０１に近い接続電極パッドの間を表示領域３０１より遠い接続電極パッドへの接続電極を通すことで、各接続電極パッドを前記表示領域３０１の外周辺に対して平行に並べた場合より広い接続電極パッド幅を確保する構成が取られていた。
【００２２】
【特許文献１】特開２００２−１９６７０３
【発明の開示】
【発明が解決しようとする課題】
【００２３】
しかし、図５に示す千鳥配置された接続電極パッドにおいても、接続電極パッドを表示領域３０１の外周辺に対して平行に並べた場合に比べると、前記千鳥配置された場合の接続電極パッドの幅は前記平行に並べた場合の接続電極パッド幅の１．５倍以下にしかならない。
【００２４】
このことを図５により説明すると、Ｙ接続電極パッド領域３１６において、前記１組の表示電極Ｙ１、Ｙ２、Ｙ３に対応する接続電極パッド５１６、５１７、５１８の占めることができる幅１３０は、前記表示電極Ｙ１、Ｙ２、Ｙ３の幅、すなわち表示電極３個分の幅であり、表示領域３０１に近い位置に接続電極パッド５１６と５１８の２個を並べ、表示領域３０１より遠い位置に接続電極パッド５１７を配置する千鳥配置構造としてある。
【００２５】
従って、表示領域３０１に近い位置に配置する接続電極パッド５１６と５１８の確保できる最大電極幅は前記表示電極Ｙ１、Ｙ２、Ｙ３の３個分の幅を２等分した幅、すなわち前記表示電極１個の幅の１．５倍であるが、実際には表示電極Ｙ２と表示領域３０１より遠い位置の接続電極パッド５１７を接続する配線電極５１４を前記表示領域３０１に近い位置の接続電極パッド５１６と５１８の間を通す配線スペース確保が必要なことから前記接続電極パッド５１６と５１８の幅は前記表示電極１個の幅の１．５倍には満たない。
【００２６】
また、液晶表示パネルの高密度化、すなわち画素の細密化を実施すると前記表示電極Ｙ１、Ｙ２等の表示電極幅が狭小となるばかりでなく、線間絶縁確保のため前記表示領域３０１に近い位置の接続電極パッド５１６と５１８間を通す前記配線電極５１４の配線スペースの占める割合が増加するので前記接続電極パッド５１６、５１８等の電極パッド幅はさらに狭小となり、前述の接続電極パッドを表示領域３０１の外周辺に対して平行に並べた場合との優位さがなくなる場合もあった。
【００２７】
さらに、カラー化した液晶表示パネルの表示電極配列は表示領域の外周辺に対して平行に３原色の循環、すなわち隣接する表示電極Ｙ１を赤色（Ｒ）、Ｙ２を緑（Ｇ）、Ｙ３を青色（Ｂ）とする表示電極ブロックとすると、これに続くブロックもＲ、Ｇ、Ｂ、Ｒ、Ｇ、Ｂ、Ｒ、Ｇ、Ｂの配列とする必要がある。
【００２８】
この３色のＲ、Ｇ、Ｂの繰り返しに対して、千鳥配置の接続電極パッド構造では表示電極１本おきに表示領域の外周辺に対して近い位置と遠い位置に接続電極パッドを配置するから、表示電極と接続電極パッドを接続する配線電極の長さが交互に長短を繰り返すことになる。この結果、配線電極の抵抗や隣接する電極との浮遊容量による相互干渉の条件は表示電極２本毎の繰り返しとなる。
【００２９】
従って、Ｒ、Ｇ、Ｂの３本を１組とする表示電極の配列に対して、千鳥配置の接続電極パッドは表示領域の外周辺に対して近い位置と遠い位置の表示電極２本毎の繰り返しであるから、同一色の配線電極の抵抗や隣接する電極との浮遊容量による相互干渉の条件は、３本と２本の公約数である６本毎になり、せっかく液晶表示パネルを細密化しても表示条件が粗くなってしまうという課題もあった。
【００３０】
また、接続電極パッドに液晶表示パネル駆動集積回路の電気的接続を行うには、接続電極パッドの大きさが一定面積以上ないと電気的接続の信頼性は確保できない。このため、前記接続電極パッド５１６、５１７等の電極パッドの形状は接続電極パッド幅が狭小な分だけ前記表示領域３０１のＹ側外周辺３１１に対して直交方向に長さを大きくして面積を確保する必要があった。この結果、画素の細密化に伴い接続電極パッドの形状が極端に細長い長方形となってしまい、この形状の悪さが液晶表示パネル駆動集積回路との電気的接続を行う上で信頼性を損なうという問題もあった。
【００３１】
すなわち、本発明の目的は、カラー液晶表示パネルの画素ピッチを細密化してもカラー液晶表示パネルとしての最適な条件、すなわち、同一カラー画素に対して同一の駆動条件を備え、信頼性の高い液晶表示パネルと液晶表示パネル駆動回路あるいは液晶表示パネル駆動集積回路との接続構造を実現することであり、構造的にはカラー３原色に対して単純な繰り返しパターンとすることで、接続電極パッド幅が画素ピッチの２倍以上の幅広を確保できて、表示領域の外周辺に対して直交方向にも自由度があり、接続電極パッド面積設定が容易な液晶表示パネルを提供することであり、液晶表示パネルの高密度化に伴う狭小画素ピッチに起因する配線電極間の絶縁不良を防ぎ、カラー液晶表示パネル駆動の電気的特性にも優れ、液晶表示パネル駆動集積回路設計の容易さも兼ね備えた信頼性の高い高密度化液晶表示パネルを提供することにある。
【課題を解決するための手段】
【００３２】
上記目的を達成するための本発明の液晶表示パネルは、第１の基板と第２の基板の間隙に液晶層を有し、前記第１の基板上に設ける表示電極と、第２の基板上に設ける対抗電極との重なり部を赤色、緑色、青色の各カラー画素部として表示領域を形成し、該表示領域は複数の行と列に画素部を設けるマトリックス型を有し、前記表示電極は配線電極を介して接続電極パッドに接続する液晶表示パネルにおいて、前記画素部の隣接する赤色、緑色、青色の各カラー画素部の表示電極を１組とし、該１組の表示電極に対応する複数の接続電極パッドを前記表示領域の外周辺に対して直交方向に直列配置したことを特徴とする。
【００３３】
すなわち、本発明の液晶表示パネルは赤色、緑色、青色の各カラー画素部の表示電極を１組とし、前記１組の表示電極に対応する接続電極パッドを表示領域の外周辺に対して直交方向に直列配置してあるので前記接続電極パッド領域は直列方向に同一順序のカラー対応の１組の接続電極パッドを前記表示領域の外周辺に対して水平方向に並列に並べる構成である。従って、各カラーに対応する接続電極パッドの配置と配線条件は全ての接続電極パッド領域において同一パターンで構成することになり、画質の向上に加えて前記接続電極パッドに接続する液晶表示パネル駆動集積回路設計も容易となる。
【００３４】
前記表示領域の外周辺に対して直交方向に直列配置された接続電極パッドは、前記表示領域に近い方から遠い方に向って緑色、赤色、青色の順に配設されていることを特徴とする。
【００３５】
すなわち、本発明の液晶表示パネルは視覚的に最も重要で良い条件を必要とする緑色接続電極パッドを表示領域に近い方に配置し、以下順に赤色接続電極パッド、青色接続電極パッドを配置することで、重要なカラーの配線電極を短くして配線抵抗および他の配線および接続電極パッドとの浮遊容量による相互干渉を削減している。
【００３６】
前記１組の表示電極と接続電極パッドとを接続する１組の配線電極には各配線電極の配線電極抵抗を個別に調整するための配線電極抵抗調整手段が設けられていることを特徴とする。
【００３７】
すなわち、本発明の液晶表示パネルは１組の接続電極パッドを表示領域外周辺に対して直交方向に直列配置してあるため表示領域に近い配線電極は短くて抵抗値は小さく、表示領域より遠い配線電極は長くて抵抗値は大きくなるが、各配線電極の配線電極抵抗を調整することで各接続電極パッド、すなわち、液晶表示パネル駆動回路側からみた液晶表示パネル駆動インピーダンス値を等しくできる。
【００３８】
前記配線電極抵抗調整手段が前記配線電極の電極幅を調整する手段であることを特徴とする。
【００３９】
すなわち、本発明の液晶表示パネルは配線電極抵抗調整手段を配線電極の電極幅を調整することで配線抵抗調整部分の長さを増やすことなく各配線電極のインピーダンス値を均一化できる。
【００４０】
前記直列配置された接続電極パッドの数が３の倍数であることを特徴とする。
【００４１】
すなわち、本発明の液晶表示パネルは１組の直列配置された接続電極パッドの数が３の倍数であることから、カラー液晶表示パネルの表示色である３原色に対応し、かつ、接続電極パッド幅を格段に拡幅できて、同じ接続電極パッド構成の繰り返し構造であることから液晶表示パネル駆動集積回路の設計も容易となる。
【発明の効果】
【００４２】
すなわち、本発明によれば、接続電極パッド幅が画素ピッチの２倍以上の幅広を確保でき、かつ、長手方向、すなわち表示領域側外周辺対する直交方向に対しても自由度があり、接続電極パッド面積設定が容易な液晶表示パネルであって、接続電極パッドと配線は緑色、赤色、青色の優先順で各カラーに対応した配置条件で、全ての接続電極パッド領域において同一パターンで構成し、液晶表示パネル駆動回路側からみた各表示電極の駆動インピーダンス値を揃えることで、画質の向上に加えて前記接続電極パッドに接続する液晶表示パネル駆動集積回路設計も容易な高密度化液晶表示パネルを提供することができる。
【発明を実施するための最良の形態】
【００４３】
以下、本発明の実施形態について図面にもとづいて説明する。本発明の液晶表示パネルの基本構造は先の図３の平面図、図４の断面図に示した従来の一般的な液晶表示パネルと共通する。
【実施例】
【００４４】
図１は本発明の実施例であり、液晶表示パネルの詳細配線図であって、図３に示す液晶表示パネルのＡ部の詳細配線図である。図２は図１に示す本発明の配線電極と接続電極パッド構造の詳細平面図である。
【００４５】
図１において、前記表示領域３０１は、Ｙ方向は表示電極Ｙ１、Ｙ２、Ｙ３を形成し、Ｘ方向は対向電極Ｘ１、Ｘ２、Ｘ３を形成しており、表示電極Ｙ１、Ｙ２、Ｙ３と対向電極Ｘ１、Ｘ２、Ｘ３とが直交交差するマトリックス型である。そして表示電極Ｙ１、Ｙ２、Ｙ３と対向電極Ｘ１、Ｘ２、Ｘ３の重なり部がひとつの画素を形成しており、符号Ｇ１１、Ｇ１２、Ｇ１３、Ｇ２１、Ｇ２２、Ｇ２３、Ｇ３１、Ｇ３２、Ｇ３３で示す交点に各画素を形成してある。本実施例においてはそれぞれ隣接する３個の表示電極Ｙ１、Ｙ２、Ｙ３を一組とし、あるいは隣接する３個の対向電極Ｘ１、Ｘ２、Ｘ３を一組としている。
【００４６】
ここで、表示電極Ｙ１、Ｙ２、Ｙ３は、カラー液晶パネルのＹ１が緑色、Ｙ２が赤色、Ｙ３が青色の表示電極に対応している。また、対向電極Ｘ１、Ｘ２、Ｘ３は、いわゆるコモン電極であって、カラー表示液晶パネルであってもモノクロ表示液晶パネルであっても差異は無いが、配線電極および接続電極パッドの電極構造は同じである。以下、一例として隣接する３個の表示電極Ｙ１、Ｙ２、Ｙ３に関わる電極構造を説明する。
【００４７】
前記Ｙ接続電極パッド領域３１６には前記表示電極Ｙ１、Ｙ２、Ｙ３に対応する第１接続電極パッド１１６、第２接続電極パッド１１７、第３接続電極パッド１１８を表示領域３０１のＹ側外周辺３１１に対して直交方向に表示領域３０１の近くから前記接続電極パッド１１６、１１７、１１８の順に直列配置してあり、各表示電極と対応する各接続電極パッドは各々第１接続電極１１３、第２接続電極１１４、第３接続電極１１５を介して接続してある。
【００４８】
また、Ｙ接続電極パッド領域３１６内の第１接続電極パッド１１６、第２接続電極パッド１１７、第３接続電極パッド１１８の形状は前記Ｙ側外周辺３１１に対する平行辺の長さが異なっている。すなわち表示領域３０１に近い第１接続電極パッド１１６の平行辺Ｌ１の長さが最も短く、以下第２電極パッド接続１１７の平行辺Ｌ２、第３接続電極パッド１１８の平行辺Ｌ３の順に長くなっている。
【００４９】
そしてこれらの各接続電極パッドは図１に示す如く、前記Ｙ側外周辺３１１に対する一方の直交辺を揃えて配置することにより、他方の直行辺側に前記各接続電極パッドの平行辺の長さの差にもとづく配線スペースを形成する。そしてこの配線スペースに前記Ｙ配線電極領域３１３の第２配線電極１１４、第３配線電極１１５を配設するのである。
【００５０】
その構造は、表示電極Ｙ１と第１接続電極パッド１１６を接続する第１配線電極１１３は直接配線してあるが、表示電極Ｙ２と第２接続電極パッド１１７を接続する第２配線電極１１４は前記第１接続電極パッド１１６と、第２接続電極パッド１１７との平行辺の長さの差にもとづく配線スペースに配設し、また表示電極Ｙ３と第３接続電極パッド１１８を接続する第３配線電極１１５は前記第２接続電極パッド１１７と、前記第３接続電極パッド１１８との平行辺の長さの差にもとづく配線スペースに配設してある。
【００５１】
すなわち、本実施例では表示電極Ｙ１と第１接続電極パッド１１６間は第１配線電極１１３を介して接続してあり、同様に隣接する表示電極Ｙ２、Ｙ３と接続電極パッド１１７、１１８間は他の接続電極パッドを避けて配線電極１１４、１１５を介して接続してある。
【００５２】
従って、表示領域３０１から近い第１接続電極パッド１１６の電極パッド幅は狭く、第２接続電極パッド１１７、第３接続電極パッド１１８の順に接続電極パッド幅は広くなり、各接続電極パッド１１６、１１７、１１８の平行辺の長さに差異が生じるが、本実施例においては、各接続電極パッド１１６、１１７、１１８の直交辺の長さを変えることで各接続電極パッド１１６、１１７、１１８の面積を略同じにしている。
【００５３】
また、前記Ｙ接続電極パッド領域３１６の第１接続電極パッド１１６、第２接続電極パッド１１７、第３接続電極パッド１１８は表示領域３０１の隣接する表示電極Ｙ１、Ｙ２、Ｙ３と対応していて、それぞれをＹ配線領域３１３の第１配線電極１１３、第２配線電極１１４、第３配線電極１１５を介して接続してあるが、このＹ配線電極領域３１３、Ｙ接続電極パッド領域３１６の全面には絶縁膜１０６を形成してある。
【００５４】
また、Ｙ接続電極パッド領域３１６には液晶パネル駆動集積回路４３０を搭載するが、前記各接続電極パッド１１６、１１７、１１８上の前記絶縁膜１０６には前記液晶パネル駆動集積回路４３０の接続部に合わせて絶縁膜開口１１６ａ、１１７ａ、１１８ａを設けてあり、前記液晶パネル駆動集積回路４３０の対応する電極と各接続電極パッド１１６、１１７、１１８は前記絶縁膜開口１１６ａ、１１７ａ、１１８ａを通して導通接続を行うのである。
【００５５】
すなわち、図４に示す第１基板４１１上に前記Ｙ側外周辺３１１に対する平行辺の長さがＬ１の第１接続電極パッド１１６、平行辺の長さがＬ２の第２接続電極パッド１１７、平行辺の長さがＬ３の第３接続電極パッド１１８、および第１配線電極１１３、第２配線電極１１４、第３配線電極１１５を配設し、前記第１接続電極パッド１１６、第２接続電極パッド１１７、第３接続電極パッド１１８の各絶縁膜開口１１６ａ、１１７ａ、１１８ａを除く周辺部と前記第１配線電極１１３、第２配線電極１１４、第３配線電極１１５の全面を絶縁膜１０６で覆ってあるのである。
【００５６】
一般的に接続電極パッドは極力幅広が望ましいことは前述の通りである。このために前記接続パッドの側辺を通す配線電極同士の間隔、および前記接続パッドと前記配線電極の間隔を狭くする必要があるが、前述のごとく本発明は各電極間の間隔を狭めても液晶パネル駆動集積回路の対応する電極と導通接続を行う各接続電極パッドの絶縁膜開口以外のＹ配線電極領域３１３とＹ接続電極パッド領域３１６上は全て絶縁膜１０６で覆ってあるため、これらの電極間を狭めても湿度や汚れによる電極間の絶縁不良は発生しない。
【００５７】
なお、上記表示領域の電極材料には透明性に優れた酸化インジウムスズ（ＩＴＯ：Indium Tin Oxide）膜など、配線電極や接続電極パッドには主として金属系のアルミニウム膜など、絶縁膜にはシリコンの酸化あるいは窒化膜等で生成する。
【００５８】
次に配線電極と接続電極パッドの詳細構造を図２にもとづいて詳述する。図２は本発明の配線電極と接続電極パッド構造の詳細平面図であって、隣接する３個の表示電極Ｙ１、Ｙ２、Ｙ３に関わる１組の配線構造について説明する。
【００５９】
図２において２０９は配線電極抵抗調整領域であり、前記配線電極の一部に設けてある。前記配線電極抵抗調整領域において、１１３ａは第１配線電極１１３の配線電極抵抗調整部、１１４ａは第２配線電極１１４の配線電極抵抗調整部であり、本来の第１配線電極１１３、第２配線電極１１４の配線経路の一部であって電極幅が狭小となっている箇所である。
【００６０】
前記第１配線電極１１３の配線電極抵抗調整部１１３ａの電極幅が狭小箇所の長さに比べて前記第２配線電極１１４の配線電極抵抗調整部１１４ａの電極幅の狭小箇所の長さは短く、第３配線電極１１５には電極幅が狭小な配線電極抵抗調整部は設けていない。
【００６１】
この配線電極抵抗調整領域２０９を設ける理由は、前記接続電極パッド１１６、１１７、１１８が前記表示領域３０１のＹ側外周辺３１１に対して直交方向に直列配置してあるため、前記配線電極１１６、１１７、１１８の長さは表示領域３０１から遠いほど長くなり、その配線抵抗が増すことになる。従って、表示領域３０１から接続電極パッド１１６、１１７、１１８までの配線電極抵抗値に差異が生じ、各接続電極パッドから見た液晶示電極の駆動条件が異なることになり、画質低下の要因となるのである。
【００６２】
この画質低下を防ぐために本発明の液晶表示パネルは、１組の配線電極の各配線電極１１３、１１４、１１５の経路に配線電極抵抗調整領域２０９を設けて各配線電極の経路条件を変えることで表示領域３０１から接続電極パッド１１６、１１７、１１８までの配線電極抵抗値を揃えているのである。
【００６３】
なお、第３接続電極パッド１１８には配線電極抵抗調整部を設けていないが、この第３接続電極パッド１１８は表示領域３０１から最も遠い位置にあり、配線電極長が他の配線電極に対して最も長く、配線電極抵抗値が高いので、この第３配線電極１１５の配線電極抵抗を基準に他の第１配線電極１１３および第２配線電極１１４の配線電極抵抗調整部１１３ａ、１１４ａの配線の経路、すなわち配線電極幅あるいは長さをそれぞれ変えることで表示領域３０１から接続電極パッド１１６、１１７、１１８までの各配線電極抵抗値を揃えるのである。
なお、第３接続電極パッド１１８には配線電極抵抗調整部を設けていないが、この第３接続電極パッド１１８は表示領域３０１から最も遠い位置にあり、配線電極長が他の配線電極に対して最も長く、配線電極抵抗値が高いので、
第３配線電極１１５の配線電極抵抗を基準に他の第１配線電極１１３および第２配線電極１１４の配線経路条件を変えて各配線電極抵抗値を揃えるのである。すなわち、配線電極抵抗調整部１１３ａ、１１４ａの配線電極幅をそれぞれ変えることで表示領域３０１から各接続電極パッド１１６、１１７、１１８までの各配線電極抵抗値を揃えるのである。
【００６４】
以上、本発明の電極構造はカラー液晶表示パネルの隣接した３原色の表示電極Ｙ１、Ｙ２、Ｙ３を１組とすることで、液晶表示パネル全体の接続電極パッド構成を各カラー画素同士が同一条件で配置される構造となる。
【００６５】
例えば、１組の表示電極に対して、表示電極Ｙ１の列のＹ接続電極パッド１１６には緑（Ｇ）色の信号を入力し、表示電極Ｙ２の列のＹ接続電極パッド１１７には赤（Ｒ）色の信号を入力し、表示電極Ｙ３の列のＹ接続電極パッド１１８には青（Ｂ）色の信号を入力する。このような構成とすれば、各カラー画素の駆動条件を同一にできるとともに、液晶
パネル駆動回路側の接続電極パッドに出力する信号も、接続電極パッド位置ごとに同一パターンの繰り返しとなるため液晶表示パネル駆動集積回路の設計も容易になる。
【００６６】
また、本発明の液晶表示パネルはこれら隣接するカラー３原色対応の表示電極と配線電極と接続電極パッドを３個ずつ１組とする配線ブロックを形成し、前記配線ブロックを表示領域の外周辺に対して水平方向に連ねた構造としているが、さらに、この隣接する画素に対応した電極の数を３の倍数（３×Ｎ）を１組とすることで、接続電極パッドの平行方向の幅はさらに広くすることができる。
【００６７】
以上は本発明の液晶表示パネルのＹ方向に関する電極構造の詳細であるが、Ｘ方向に関する電極構造もＹ方向に関する電極構造と同じ構造としてある。
【００６８】
また、上記各実施例では液晶表示パネル駆動回路をＣＯＧ実装にもとづいて説明したが、ＴＡＢ実装にも適用でき、また、表示領域はアクティブ型液晶表示パネルやパッシブ型液晶表示パネルの双方に適用できることは当然である。
【００６９】
すなわち、本発明の液晶表示パネルは隣接するカラー対応の３原色の表示電極または対向電極を１組とする前記１組の表示電極または対向電極幅内に、前記１組の表示電極または対向電極に対応する複数の接続電極パッドを、表示領域外周辺に対して直交方向に直列配置し、前記表示領域から遠い接続電極パッドに接続する配線電極は前記表示領域から近い接続電極パッドの側辺を通す接続電極パッド部を同一パターンの繰り返し配置という効率的配置構造であることから、高密度化されたカラー液晶表示パネルの微細画素に対して最適な接続電極パッドと言える。
【図面の簡単な説明】
【００７０】
【図１】本発明の実施例であり、液晶表示パネルの詳細配線図である。
【図２】図１に示す本発明の配線電極と接続電極パッド構造の詳細平面図である。
【図３】図３は従来の液晶表示パネルの平面図である。
【図４】従来の液晶表示パネルの断面図である。
【図５】従来技術の液晶表示パネルの配線図である。
【符号の説明】
【００７１】
１０６  絶縁膜
１１３、５１３    第１配線電極
１１４、５１４    第２配線電極
１１５、５１５    第３配線電極
１１３ａ    配線電極抵抗調整部
１１４ａ    配線電極抵抗調整部
１１６、５１６    第１接続電極パッド
１１７、５１７    第２接続電極パッド
１１８、５１８    第３接続電極パッド
２０９    配線電極抵抗調整領域
３００    液晶表示パネル
３０１    表示領域
３１３    Ｙ配線電極領域
３１６    Ｙ接続電極パッド領域
３２３    Ｘ配線電極領域
３２６    Ｘ接続電極パッド領域
４０１    液晶層
４１１    第１基板
４１２    表示電極群
４２１    第２基板
４２２    対向電極群
４３０    液晶表示パネル駆動集積回路
Ｘ１、Ｘ２、Ｘ３    対向電極
Ｙ１、Ｙ２、Ｙ３    表示電極
【図１】
2006227230.tif 000003
【図２】
2006227230.tif 000004
【図３】
2006227230.tif 000005
【図４】
2006227230.tif 000006
【図５】
2006227230.tif 000007